(57)【要約】【課題】  時刻表示を停止して消費電力を低減する電子機器において、利用者の意に反して時刻表示が停止せず、利用者が時刻を参照したいときに時刻を参照できる電子機器、電子機器の制御方法を提供する。【解決手段】  第１のエネルギーを第２のエネルギーである電気エネルギーに変換することにより発電を行う１次電源部１０１と、発電によって得られた電気エネルギーを蓄える２次電源部１０３と、電気エネルギーを２次電源部が充電する状態又は充電しない状態を検出する充電検出部１０２と、時刻を計時し、操作入力を検出したとき計時した時刻表示を停止する計時部１１と、操作入力を検出した状態であって充電しない状態の時間を計測し、計測した時間が予め設定された時間を越えたとき、計時部の動作を停止する低消費電力状態制御部１０５を有する。【選択図】  図１
2012073224.tif 000002
【特許請求の範囲】
【請求項１】
第１のエネルギーを第２のエネルギーである電気エネルギーに変換することにより発電を行う１次電源部と、
前記発電によって得られた電気エネルギーを蓄える２次電源部と、
前記電気エネルギーを２次電源部が充電しない状態を検出する充電検出部と、
時刻を計時し、操作入力を検出したとき計時した時刻表示を停止する計時部と、
前記操作入力を検出した状態であって前記充電しない状態の時間を計測し、前記計測した時間が予め設定された時間を越えたとき、前記計時部の動作を停止する低消費電力状態制御部を有することを特徴とする電子機器。
【請求項２】
前記２次電源部の供給電圧を検出する電圧検出部を更に備え、
前記充電検出部は、電気エネルギーを２次電源部が充電する状態を検出し、
前記低消費電力状態制御部は、前記２次電源部の供給電圧が当該電子機器の動作に要する電圧よりも大きい場合に前記計時部の動作を停止し、前記充電する状態が検出されたとき、前記計時部の動作を開始させる
ことを特徴とする請求項１記載の電子機器。
【請求項３】
前記低消費電力状態制御部は、
前記計時部の動作を停止する前の動作状態に応じて、前記計時部の動作を開始するときの動作状態を選択する
ことを特徴とする請求項１記載の電子機器。
【請求項４】
前記計時部は、計時制御部と前記計時制御部を駆動するクロック信号を生成する発振回路制御部とを含んで構成され、前記発振回路制御部におけるクロック信号の生成を停止することにより、動作を停止する
ことを特徴とする請求項１記載の電子機器。
【請求項５】
前記計時制御部は、前記クロック信号に基づいて生成した駆動信号のエネルギー量を低下させるまでの時間を計測するパルスダウンカウンタ部を備え、
前記パルスダウンカウンタ部は、前記充電しない状態の時間を計測する
ことを特徴とする請求項４記載の電子機器である。
【請求項６】
前記計時制御部は、操作入力を検出した時点からの経過時間を計測するクロノカウンタ部を備え、
前記クロノカウンタ部は、前記充電しない状態の時間を計測する
ことを特徴とする請求項４記載の電子機器である。
【請求項７】
前記第１のエネルギーは光エネルギーであることを特徴とする請求項１記載の電子機器。
【請求項８】
前記操作入力は竜頭の位置に応じた電圧であることを特徴とする請求項１記載の電子機器。
【請求項９】
電子機器における制御方法において、
前記電子機器が備える計時部が、時刻表示を停止させるための操作入力を検出した状態であって、前記電子機器が備える１次電源部が発電した電気エネルギーを前記電子機器が備える２次電源部が充電しない状態の時間を計測し、
前記計測した時間が予め設定された時間を越えたとき、前記計時部の動作を停止する低消費電力状態制御過程を有する
ことを特徴とする電子機器の制御方法。
【請求項１０】
電子機器が有するコンピュータに、
前記電子機器が備える計時部が、時刻表示を停止させるための操作入力を検出した状態であって、前記電子機器が備える１次電源部が発電した電気エネルギーを前記電子機器が備える２次電源部が充電しない状態の時間を計測し、
前記計測した時間が予め設定された時間を越えたとき、前記計時部の動作を停止する低消費電力状態制御手順を実行させる、
ことを特徴とする電子機器の制御プログラム。
【発明の詳細な説明】
【技術分野】
【０００１】
本発明は、電子機器、電子機器の制御方法及び電子機器の制御プログラムに関する。
【背景技術】
【０００２】
太陽電池などの発電装置と２次電源を内蔵する、腕時計などの計時装置をはじめとする小型の電子機器が実用化されている。これらの電子機器では、発電装置で発生させた電力を２次電源に充電し、２次電源が供給する電力で時刻表示を行うことで、電源の交換を行うことなく出力が安定した電力の供給を実現している。
当該機器では、発電装置が電力を発生させないまま２次電源から電力の供給が長時間継続すると、２次電源に蓄えられた電荷が空になる過放電状態となる。過放電状態になった場合には、発電装置からの電力の供給が開始されても、２次電源に十分な電荷が蓄えられるまで、電子機器を動作させることができない。
特許文献１には、電力の供給がなされずに通常動作モードが一定時間継続すると、時刻表示を行わない低消費電力モードに遷移させることで、電力消費を抑制する電子機器が記載されている。
【先行技術文献】
【特許文献】
【０００３】
【特許文献１】特開２０００−２３０９８８公報
【発明の概要】
【発明が解決しようとする課題】
【０００４】
しかしながら、特許文献1記載の発明では、使用環境によっては発電装置による電力の発生が困難になり、容易に低消費電力モードに遷移してしまうことがある。例えば、特許文献１に記載の発明を適用した腕時計では、腕時計が袖口に覆われるために光が遮られたり、又は夜間に光が照射されないことにより、発電が行われなくなる。発電が行われない
時間が一定時間継続すると、時刻表示を停止してしまう。
【０００５】
また、特許文献１に記載の発明では、発電が行われない時間の長さによっては過放電状態となり、電子機器の動作を復帰させる時間がかかる欠点があった。例えば、工場出荷後に当該機器に光が照射されない時間が長時間継続し過放電状態となると、当該機器の動作が復帰するまで時刻表示がなされない状態が継続する。利用者は、このような状態から当該機器が故障したものと誤認するおそれがある。
以上のように、特許文献１記載の発明では、利用者が時刻を参照したいときに時刻表示を確認できない場合があるという欠点を生じていた。
本発明は、上記の点に鑑みてなされたものであり、利用者が時刻表示を確認できる時間を十分に確保ことができる、電子機器、電子機器の制御方法及び電子機器の制御プログラムを提供することを目的としている。
【課題を解決するための手段】
【０００６】
（１）本発明は上記の課題を解決するためになされたものであり、本発明は、第１のエネルギーを第２のエネルギーである電気エネルギーに変換することにより発電を行う１次電源部と、発電によって得られた電気エネルギーを蓄える２次電源部と、電気エネルギーを２次電源部が充電しない状態を検出する充電検出部と、時刻を計時し、操作入力を検出したとき計時した時刻表示を停止する計時部と、操作入力を検出した状態であって充電しない状態の時間を計測し、計測した時間が予め設定された時間を越えたとき、計時部の動作を停止する低消費電力状態制御部を有することを特徴とする電子機器である。
【０００７】
（２）また、本発明は、２次電源部の供給電圧を検出する電圧検出部を更に備え、充電検出部は電気エネルギーを２次電源部が充電する状態を検出し、低消費電力状態制御部は、２次電源部の供給電圧が機器の動作に要する電圧よりも大きい場合に計時部の動作を停止し、充電する状態が検出されたとき、計時部の動作を開始させることを特徴とする電子機器である。
（３）また、本発明は、低消費電力状態制御部が、計時部の動作を停止する前の動作状態に応じて、前記計時部の動作を開始するときの動作状態を選択する、ことを特徴とする電子機器である。
【０００８】
（４）また、本発明は、計時部が、計時制御部と計時制御部を駆動するクロック信号を生成する発振回路制御部とを含んで構成され、発振回路制御部におけるクロック信号の生成を停止することにより、動作を停止することを特徴とする電子機器である。
（５）また、本発明は、計時制御部が、前記クロック信号に基づいて生成した駆動信号のエネルギー量を低下させるまでの時間を計測するパルスダウンカウンタ部を備え、パルスダウンカウンタ部は、前記充電しない状態の時間を計測する
ことを特徴とする電子機器である。
（６）また、本発明は、計時制御部が、操作入力を検出した時点からの経過時間を計測するクロノカウンタ部を備え、クロノカウンタ部は、前記充電しない状態の時間を計測することを特徴とする電子機器である。
（７）また、本発明は、第１のエネルギーは光エネルギーであることを特徴とする電子機器である。
（８）また、本発明は、操作入力は竜頭の位置に応じた電圧であることを特徴とする電子機器である。
【発明の効果】
【０００９】
本発明によれば、時刻表示を停止するための操作入力を検出し、１次電源部で発電された電気エネルギーが充電されなくなってからの時間が予め設定された時間を経過してから計時部の動作が停止する。そのため、本発明では利用者の意に反して計時部の動作が停止し、時刻を参照できないという不都合を解消することができる。つまり、利用者が時刻表示を確認することができる時間を十分にとることができる。
【図面の簡単な説明】
【００１０】
【図１】本発明の第１の実施形態に係る電子機器の概略ブロック図である。
【図２】本実施形態に係る電子機器における２次電源部からの出力電圧の一例を示す模式図である。
【図３】本実施形態に係る電子機器の制御方法による動作状態の遷移を示す概略ブロック図である。
【図４】本実施形態に係る電子機器の制御方法による通常動作状態から各動作状態への遷移にかかる動作例を示す流れ図である。
【図５】本実施形態に係る電子機器の制御方法による時刻非表示状態から各動作状態への遷移にかかる動作例を示す流れ図である。
【図６】本実施形態に係る電子機器の制御方法による低電力消費状態から各動作状態への遷移にかかる動作例を示す流れ図である。
【図７】本発明の第２の実施形態に係る電子機器の概略ブロック図である。
【図８】本実施形態に係る計時制御部及び時刻表示駆動部の概略ブロック図である。
【発明を実施するための形態】
【００１１】
（第１の実施形態）
以下、図面を参照しながら本発明の第１の実施形態について詳しく説明する。
図１は、本実施形態に係る電子機器１を示す。電子機器１は、１次電源部１０１、充電検出部１０２、２次電源部１０３、電圧検出部１０４、低消費電力状態制御部１０５、操作入力部１０６、入力状態検出部１０７及び計時部１１を含んで構成される。計時部１１は、発振回路制御部１０８と計時制御部１０９とを含んで構成される。なお、電子機器１は腕時計などの計時装置であるが、本発明ではこれに限らず、逐次に時刻を表示する機能や発振回路からの制御信号により動作が駆動される電子機器であってもよい。また、電子機器１は、時刻を数値により表示するディジタルウォッチの他、運針機構を有し、針の位置により時刻を表示するアナログウォッチも含まれる。
【００１２】
１次電源部１０１は、第１のエネルギーから電気エネルギーに変換することにより電力を発生させる。１次電源部１０１は、発生させた電力を充電検出部１０２を通じて２次電源部１０３に出力する。１次電源部１０１は、第１のエネルギーとして光エネルギーを利用する太陽電池である。太陽電池は自己が供えるソーラーパネルに照射された光を電気エネルギーに変換するため、発生する電力が照射される光量に依存し、一般に出力される電力が不安定になる。
【００１３】
充電検出部１０２は、１次電源部１０１で発生させた電力が２次電源部１０３に蓄積される状態、即ち充電状態であるか否かを検出する。具体的には、充電検出部１０２は、１次電源部１０１で発生させた電力の電圧が２次電源部１０３に蓄積された電力の電圧よりも大きい場合に、充電状態であると判定する。一方、充電検出部１０２は、１次電源部１０１で発生させた電力の電圧が２次電源部１０３に蓄積された電力の電圧よりも小さい場合に、非充電状態であると判定する。
【００１４】
なお、充電状態では、１次電源部１０１から２次電源部１０３へ電流が生じる。充電検出部１０２は、１次電源部１０１と２次電源部１０３との間の逆流防止素子を備える。当該素子により、充電検出部１０２は、２次電源部１０３から１次電源部１０１に電流が逆流して２次電源部１０３に蓄積された電力が失わないようにする。逆流防止素子には、例えば、一方向（１次電源部１０１から２次電源部１０３）にしか電力を通過させないダイオードが用いられる。充電検出部１０２は、さらに充電状態か非充電状態かを示す充電状態情報を、低消費電力状態制御部１０５に出力する。
【００１５】
２次電源部１０３は、１次電源部１０１から充電検出部１０２を通じて電力を入力され、蓄積する。なお、２次電源部１０３は、電圧検出部１０４の他にも、低消費電力状態制御部１０５、計時部１１、をはじめとして当該機器各部の動作に要する電力を供給する。これにより、１次電源部１０１で発生した電力の時間変動が緩和され、安定した出力が得られる。
【００１６】
電圧検出部１０４は、２次電源部１０３が発生する電圧を検出し、検出した電圧情報を低消費電力状態制御部１０５に出力する。具体的には、電圧検出部１０４は、2次電源部１０３に接続するサンプリング回路を起動させ、当該回路が生成する信号を検出して行う。
【００１７】
低消費電力状態制御部１０５は、充電検出部１０２から充電状態情報を入力され、電圧検出部１０４から2次電源部１０３が生成する電力の出力情報を入力される。また、所定の条件を満たしたとき、低消費電力状態制御部１０５は、発振開始信号又は発振停止信号を計時部１１に出力する。これらの信号を出力する条件については＜低消費電力状態制御部１０５による計時部１１の制御＞において後述する。
【００１８】
操作入力部１０６は、時刻表示を制御するために利用者の操作入力を受け付ける部材である。例えば、電子機器１が時刻を数値表示するディジタル腕時計である場合には、操作入力部１０６は時刻表示を開始又は停止するための操作ボタンである。但し、操作入力部１０６は、時刻調整、その他の機能を起動又は停止させるために時刻表示を停止又は開始するための操作ボタンであってもよい。何れの操作ボタンであっても、操作入力部１０６は、押下されるごとに、時刻表示の開始、停止を切り替える操作を受け付ける。また、例えば電子機器１が針の位置により時刻を表示するアナログ腕時計である場合は、操作入力部１０６は、例えば竜頭である。
【００１９】
入力状態検出手段１０７は、操作入力部１０６で受け付けた操作入力の状態を検出し、計時部１１を構成する計時制御部１０９に時刻表示制御信号を出力する。例えば、当該機器がディジタル腕時計である場合には、入力状態検出手段１０７は操作入力部１０６を構成する操作ボタンが押下されたことを検知し、時刻表示制御信号を計時制御部１０９に出力する。入力状態検知部１０７は、操作ボタンが押下されるごとに、時刻表示制御信号を時刻表示停止信号、時刻表示開始信号と交互に変更する。
【００２０】
また、例えば電子機器１がアナログ腕時計である場合には、入力状態検出手段１０７は、操作入力部１０６を構成する竜頭が電子機器１の本体に近接するように押下された状態になったとき、時刻表示開始信号を計時制御部１０９に出力する。入力状態検出手段１０７は、当該竜頭を引き出し電子機器１の本体から離れている状態で時刻表示停止信号を計時制御部１０９に出力する。なお、入力状態検出部１０７は、例えば時刻表示開始信号として、ある電位の電気信号（以下、低電位信号）を用い、時刻表示停止信号として低電位信号よりも高い電位の電気信号（高電位信号）を用いる。即ち、入力状態検出手段１０７は、竜頭に連動した端子の位置に応じて出力信号の電位を切り替える回路である。ここで、入力状態検出手段１０７は一定以上の電位を供給する電圧源（例えば２次電源部１０３）を当該回路への入力として接続し、当該回路から低電位信号又は高電位信号を出力する。
【００２１】
計時部１１を構成する発振回路制御部１０８は、一定周期ごとに振幅が変化するクロック信号を生成するための定電圧回路を有し、当該クロック信号を計時制御部１０９に出力する。後述するように、当該クロック信号は、計時制御部１０９の動作を制御するために用いられる。発振回路制御部１０８が、低消費電力状態制御部１０５から発振動作開始信号を入力したとき、発振回路制御部１０８は定電圧回路の動作を開始させ、クロック信号の生成を開始する。また、発振回路制御部１０８が低消費電力状態制御部１０５から発振動作停止信号を入力したとき、発振回路制御部１０８は定電圧回路の動作を停止させ、クロック信号の生成を停止する。
【００２２】
計時制御部１０９は、発振回路制御部１０８からクロック信号を入力し、当該クロック信号の振幅のピーク数をカウントし、所定のピーク数ごとに表示しようとする時刻情報を一定時間ずつ変更させる。例えば、クロック信号の周波数が32,768Hzの場合、計時制御部１０９は、当該信号のピークを32,768個カウントするごとに秒情報を1秒ずつ増加させる。これにより、計時制御部１０９は、現時刻又はある時点からの経過時間を計測する。
【００２３】
電子機器１がディジタルウォッチの場合には、計時制御部１０９は、時刻表示開始信号を入力状態検知手段１０７から入力したとき、計測した現時刻を示す数値を表示する。計時制御部１０９は、時刻表示停止信号を入力状態検知手段１０７から入力したとき、現時刻の表示を停止する。計時制御部１０９は、発振回路制御部１０８からのクロック信号を取得できなくなると、計時制御部１０９は動作を停止する。
【００２４】
電子機器１がアナログウォッチの場合には、計時制御部１０９は、入力状態検出手段１０７から時刻表示開始信号を入力した後、次に時刻表示停止信号を入力するまでの間は、クロック信号のピークをカウントするごとに文字盤に表示する針の位置を一定量ずつ変更する。即ち、入力状態検出手段１０７は６０秒に応当するピーク数をカウントするごとに秒針を、６０分に応当するピーク数をカウントするごとに分針を、２４時間に応当するピーク数をカウントするごとに時針を、各々１回転するように移動させる。計時制御部１０９は、入力状態検出手段１０８から時刻表示停止信号を入力した後、次に時刻表示開始信号を入力するまでの間は、文字盤に表示する針の位置の移動を停止し、表示時刻の調整を可能にする。アナログウォッチでは、竜頭を引き出し回転することにより分針と時針が回転することで、表示時刻の調整を可能にする。
【００２５】
なお、計時制御部１０９は、低消費電力状態制御部１０５から後述する非充電時間計測開始信号を入力される。計時制御部１０９は、時刻表示を行わないとき、非充電時間計測開始信号を入力した時点からの時間（以下、非充電時間）を計測し、予め設定した時間が経過したとき非充電時間計測停止信号を低消費電力状態制御部１０５に出力する。また、計時制御部１０９は、低消費電力状態制御部１０５に時刻表示状態か否かを示す時刻表示状態情報を出力する。
【００２６】
＜低消費電力状態制御部１０５による計時部１１の制御＞
低消費電力状態制御部１０５は、充電検出部１０２から充電状態情報を入力され、電圧検出部１０４から検出した２次電源部１０３の電圧情報を入力される。当該充電情報が充電状態を示す場合、又は当該電圧情報が閾値電圧Ｖｃよりも大きい場合、低消費電力状態制御部１０５は、発振動作開始信号を発信回路制御部１０８に出力する。発振回路制御部１０８は低消費電力状態制御部１０５から発振動作開始信号を入力されると、クロック信号を計時制御部１０９に出力する。計時制御部１０９は、発振回路制御部１０８からクロック信号を入力されると動作を開始し、電子機器１が時刻表示又は時間計測を開始する。
【００２７】
ここでは、２次電源部１０３の電圧情報として、基準となるグランド電位との電位差を用いるが、他の基準電位との電位差を用いても良い。閾値電圧Ｖｃは、少なくとも動作限界電圧Ｖｍよりも高い電圧とする。動作限界電圧Ｖｍとは、電子機器１の動作に最低限必要な電圧をいう。動作限界電圧Ｖｍとして、時刻表示のために当該機器の電力消費の大部分を占める計時制御部１０９の動作に要する電圧、発振回路制御部１０８によるクロック信号の生成及び出力に要する電圧、又はこれらのうち何れか高い方、を用いることができる。
【００２８】
２次電源部１０３が充電状態にない場合には、低消費電力状態制御部１０５は、計時制御部１０９に非充電時間計測開始信号を出力する。その後、低消費電力状態制御部１０５が、計時制御部１０９から非充電時間計測停止信号を入力されると、発振動作停止信号を発振回路制御部１０８に出力する。発振回路制御部１０８は、低消費電力状態制御部１０５から発振動作停止信号を入力されると、クロック信号の出力を停止する。計時制御部１０９は、発振回路制御部１０８からクロック信号を取得できなくなり、動作が停止する。
【００２９】
前述のように、低消費電力状態制御部１０５は、非充電時間計測開始信号を計時制御部１０９に出力してから所定時間経過後に、計時制御部１０９から非充電時間計測停止信号を入力することになる。この所定時間は、例えば１０分であるが、少なくとも時刻合わせ等、電子機器１の設定に十分な時間であればよく、１０分未満の時間でも、１０分を超える時間であってもよい。また、当該所定時間は、２次電源部が供給する電圧Ｖが動作限界電圧Ｖｍ以上となるまで、電子機器１を継続して動作することができる時間とすることができる。
【００３０】
２次電源部１０３が充電状態になく、かつ2次電源部１０３の電圧情報が閾値電圧Ｖｃ以下の場合には、低消費電力状態制御部１０５は発振動作停止信号を発振回路制御部１０８に出力する。発振回路制御部１０８は、発振動作停止信号を低消費電力状態制御部１０５から入力すると、計時制御部１０９へのクロック信号の出力を停止する。計時制御部１０９が発振回路制御部１０８からクロック信号を取得できなくなったとき、計時制御部１０９は動作を停止する。
【００３１】
一方、２次電源部１０３が充電状態にある場合には、低消費電力状態制御部１０５は発振動作開始信号を発振回路制御部１０８に出力する。発振回路制御部１０８は、発振動作開始信号を低消費電力状態制御部１０５から入力されると、計時制御部１０９へのクロック信号の出力を開始する。計時制御部１０９は、発振回路制御部１０８からクロック信号を入力して動作を開始する。
【００３２】
図２に、２次電源部１０３が供給する電圧の時間変化の一例を示す。図２において、横軸は時間を、縦軸は供給電圧Ｖを示す。図２は、２次電源部１０３は、当初自己の容量を満たす電荷を蓄えていることを示す。このときに２次電源部１０３が供給する電圧を充電フル電圧Ｖｆといい、例えば１．８Vとする。図２は、電子機器１が時刻表示を行わずに計時制御部１０７がクロック信号を出力する時刻非表示状態（図３  ２０２参照）を継続する場合でも、電力の消費によって２次電力部１０３の供給電圧が次第に減少することを示す（期間Ｔ１）。
【００３３】
図２は、２次電力部１０３からの供給電圧Ｖが閾値電圧Ｖｃ以下となると、所定時間経過後に計時制御部１０９の動作が停止し、電子機器１は低消費電力状態（図３  ２０３参照）となることを示す（期間Ｔ２）。閾値電圧Vｃは、例えば１．１Ｖであり、動作限界電圧Ｖｍ（例えば、１．０Ｖ）よりも高くする。また、計時制御部１０９の動作が停止するまでの所定時間は、計時制御部１０７の動作が停止するときの２次電力部からの出力電圧Vが、少なくとも動作限界電圧Ｖｍより高くなるように設定する。この低消費電力状態になると、電子機器１全体の電力消費量は、通常動作状態（図３  ２０１参照）よりも著しく低減する。時刻表示が要求されない出荷・運搬時等においては、この状態で保存することが望ましい。
【００３４】
２次電源部１０３が充電状態になると、再度計時制御部１０７が動作する。充電で生成される電力は、通例当該機器の消費電力よりも格段に大きいため、２次電源部１０３に電力が蓄積される。これに伴い、２次電源部１０３からの供給電圧Ｖも増加することになる（期間Ｔ３）。このようにして、当該機器では、２次電源部１０３から当該機器を動作させるために必要な電力の供給が保証される。
【００３５】
なお、本実施形態において、閾値電圧Ｖｃと動作限界電圧Ｖｍの差を０．１Ｖ、即ち、動作限界電圧Ｖｍの１０%、充電フル電圧Ｖｆの６ %程度としている。しかし、本発明ではこれに限られず、これらの値よりも小さくしてもよく、大きくしてもよい。また、充電フル電圧Ｖｆの状態から、予め定めた時間、通常動作状態又は時刻非表示状態で電子機器１の動作を継続して達する２次電源部１０３の供給電圧Ｖを、閾値電圧Ｖｃと定めてもよい。また、２次電源部１０３の供給電圧Ｖの時間変化が予め定めた値に達したときの供給電圧Ｖを、閾値電圧Ｖｃと定めてもよい。
【００３６】
図３は、本実施形態に係る電子機器１の制御方法による動作状態の遷移を示す概略ブロック図である。電子機器１の動作状態には、例えば、通常動作状態２０１、時刻非表示状態２０２及び低消費電力状態２０３がある。通常動作状態２０１とは、当該機器が時刻を計測し当該時刻を表示する状態をいう。時刻非表示状態２０２とは、当該機器においてクロック信号を発生するが計測した時刻を表示しない状態という。但し、時刻非表示状態２０２は、当該機器内部の時刻表示以外の動作が行われる状態である。時刻非表示状態２０２では、電子機器１は時刻表示に要する消費電力を抑制できる。低消費電力状態２０３とは、当該機器においてクロック信号を発生せず動作が停止した状態をいう。
【００３７】
低消費電力状態２０３では、電子機器１は必要最小限の極めて微小な電力しか消費しない。つまり、充電検出部１０２が２次電源部１０３の充電状態を検出する電力、出力検出部１０４が2次電源部が提供する電圧状態を検出する電力、及び低消費電力状態制御部１０５が充電検出部１０２及び２次電源部１０３からの出力を入力して発振回路制御部１０８に発振動作開始信号を出力する電力しか消費しない。従って、電子機器１が低消費電力状態２０３に遷移することで、２次電源部１０３が過放電状態に陥ることが防止できる。
【００３８】
図３に示すように、電子機器１の制御方法による動作状態間の遷移には、通常動作状態２０１が変化しない場合（Ｔ１１）、通常動作状態２０１から時刻非表示状態２０２への遷移（Ｔ１２）、通常動作状態２０１から時刻非表示状態２０２への遷移、通常動作状態２０１から低消費電力状態２０３への遷移（Ｔ１３）、時刻非表示状態２０２から通常動作状態２０１への遷移（Ｔ２１）、時刻非表示状態２０２が変化しない場合（Ｔ２２）、時刻非表示状態２０２から低消費電力状態２０３への遷移（Ｔ２３）、低消費電力状態２０３から通常動作状態３０１への遷移（Ｔ３１）、低消費電力状態２０３から時刻非表示状態２０２への遷移（Ｔ３２）、低消費電力状態２０３が変化しない場合（Ｔ３３）、の９通りがある。
【００３９】
図４は、電子機器１の制御方法における動作の一例、具体的には通常動作状態２０１から各動作状態２０１〜２０３への遷移（Ｔ１１，Ｔ１２，Ｔ１３）にかかる動作の一例を示す流れ図である。
電子機器１が通常動作状態２０１にあるとき、操作入力部１０６が利用者の操作入力を受け付け、入力状態検出部１０７が操作入力の状態を検出する。入力状態検出部１０７は、検出結果に基づいて時刻表示停止のための入力があったか否かを判定する（Ｓ３０１）。入力状態検出部１０７が時刻表示停止のための入力があったと判定した場合（Ｓ３０１  Ｙ）、入力状態検出部１０８は計時制御部１０９に時刻表示停止信号を出力する。計時表示部１０９は、入力状態検出部１０８から時刻表示停止信号を入力されると、時刻表示を停止する（Ｓ３２１）。
【００４０】
充電検出部１０２は、２次電源部１０３が充電状態にあるか否かを判定する（Ｓ３２２）。２次電源部１０３が充電状態であると判定した場合（Ｓ３２２  Ｙ）、充電検出部１０２は、充電状態にある旨の情報を低消費電力状態制御部１０５に出力する。なお、低消費電力状態制御部１０５は充電検出部１０２から充電状態にある旨の情報を入力されても、特に動作状態を変更しない。つまり、電子機器１の動作状態が、時刻非表示状態２０２に遷移する（図３  Ｔ１２参照）。
【００４１】
一方、充電検出部１０２が、２次電源部１０３が充電状態にないと判定した場合（Ｓ３２２  Ｙ）、充電検出部１０２は、充電状態にない旨の情報を低消費電力状態制御部１０５に出力する。低消費電力状態制御部１０５が充電検出部１０２から充電状態にない旨の情報を入力されたとき、低消費電力状態制御部１０５は計時制御部１０９に非充電時間計測開始信号を出力する。計時制御部１０９は低消費電力状態制御部１０５から非充電時間計測開始信号を入力され、入力された時点から非充電時間の計測を開始する（Ｓ３２３）。この時点では、計時制御部１０７の動作が継続する。つまり、電子機器１の動作状態が、時刻非表示状態２０２に遷移する（図３  Ｔ１２参照）。
【００４２】
入力状態検出部１０７が時刻表示停止のための入力がないと判定した場合は（Ｓ３０１  Ｎ）、入力状態検出部１０７は計時表示部１０９に時刻表示停止信号を出力しない。充電検出部１０２が、２次電源部１０３が充電状態にあることを検出したとき、充電状態にある旨の情報を低消費電力状態制御部１０５に出力する。低消費電力状態制御部１０５は、充電検出部１０２から充電状態にある旨の情報を入力されたか否か判定する（Ｓ３１１）。低消費電力状態制御部１０５は、充電検出部１０２から充電状態にある旨の情報を入力された場合でも（Ｓ３１１  Ｙ）、動作状態を変更しない。つまり、電子機器１の動作状態は、通常動作状態２０１のまま維持される（図３  Ｔ１１参照）。
【００４３】
充電検出部１０２が、２次電源部が充電状態にないことを検出したとき、充電状態にない旨の情報を低消費電力状態制御部１０５に出力する（Ｓ３１１）。低消費電力状態制御部１０５は、充電検出部１０２から充電状態にない旨の情報を入力された場合（Ｓ３１１  N）、電圧検出部１０４からの電圧情報Ｖが閾値電圧Ｖｃ以下であるか否か判定する（Ｓ３１２）。低電圧状態制御部１０５は、当該電圧情報が閾値電圧Ｖｃ以下でないと判定したとき（Ｓ３１２  Ｎ）、低消費電力状態制御部１０５は動作状態を変更しない。つまり、電子機器１の動作状態は、通常動作状態２０１のまま維持される（図３  Ｔ１１参照）。
【００４４】
低電圧状態制御部１０５は、当該電圧情報が閾値電圧Ｖｃ以下と判定したとき（Ｓ３１２  Ｙ）、発振動作停止信号を発信回路制御部１０８に出力する。発振回路制御部１０８は、低消費電力状態制御部１０５から発振動作停止信号を入力されると、クロック信号の生成及び計時制御部１０９への出力を停止する（Ｓ３１３）。よって、電子機器１の動作状態が、低消費電力状態２０３に遷移する（図３  Ｔ１３参照）。
【００４５】
一方、当該電圧情報Ｖが閾値電圧Ｖｃよりも大きいと判定したとき（Ｓ３１２  Ｎ）、低電圧状態制御部１０５は動作状態を変化させない。従って、電子機器１の動作状態は通常動作状態２０１のまま維持される（図３  Ｔ１１参照）。
【００４６】
図５は、電子機器１の制御方法における動作、具体的には時刻非表示状態２０２から各動作状態２０１〜２０３への遷移（Ｔ２１，Ｔ２２，Ｔ２３）にかかる動作例を示す流れ図である。
電子機器１が時刻非表示状態２０２にあるとき、充電検出部１０２が、２次電源部１０３が充電状態にあるか否か検出する（Ｓ４０１）。充電検出部１０２が充電状態にあることを検出したとき（Ｓ４０１  Ｙ）、充電状態にある旨の情報を低消費電力状態制御部１０５に出力する。低消費電力状態制御部１０５は、出力検出部１０４で検出された２次電源部１０３の電圧情報を入力し、当該電圧情報Ｖが閾値電圧Ｖｃ以下であるか否か判定する（Ｓ４２１）。低消費電力状態制御部１０５が、電圧情報Ｖが閾値電圧Ｖｃ以下であると判定した場合（Ｓ４２１  Ｙ）、処理をＳ４１４に進める。低消費電力状態制御部１０５が、電圧情報Ｖが閾値電圧Ｖｃ以下でないと判定した場合（Ｓ４２１  N）、処理をＳ４２３に進める。
【００４７】
一方、充電検出部１０２が、２次電源部１０３が充電状態にないことを検出したとき（Ｓ４０１  Ｎ）、充電状態にない旨の情報を低消費電力状態制御部１０５に出力する。低消費電力状態制御部１０５は、充電検出部１０２から充電状態にない旨の情報を入力すると、計時制御部１０９が非充電時間を計測中か否か判定する（Ｓ４１１）。ここで、低消費電力状態制御部１０５は、計時制御部１０９へ非充電時間計測開始信号を出力したことで、計時制御部１０９が非充電時間を計測中であることを判定できる。
【００４８】
計時制御部１０９が非充電時間を計測中でないと判定した場合には（Ｓ４１１  Ｎ）、低消費電力状態制御部１０５は計時制御部１０９に非充電時間計測開始信号を出力する。計時制御部１０９は、低消費電力状態制御部１０５から非充電時間計測開始信号を入力し、非充電時間の計測を開始し（Ｓ４２２）、処理をＳ４２３に進める。
【００４９】
計時制御部１０９が非充電時間を計測中であると判定した場合には（Ｓ４１１  Ｙ）、低消費電力状態制御部１０５は、非充電時間の計測開始から所定時間が経過したか否か判定する（Ｓ４１２）。低消費電力状態制御部１０５は、計時制御部１０９から非充電時間計測停止信号を入力したことで、非充電時間の計測開始から所定時間が経過したことを判定できる。低消費電力状態制御部１０５が、所定時間経過したと判定した場合は（Ｓ４１２  Ｙ）、計時制御部１０９は非充電時間の計測を停止した状態となる（Ｓ４１３）。計時制御部１０９は、低消費電力状態制御部１０５から非充電時間計測開始信号を入力した後、非充電時間の計測を開始し、予め設定した所定時間に達すると非充電時間の計測を停止する。このとき、計時制御部１０９が、低消費電力状態制御部１０５に非充電時間計測停止信号を出力するからである。
【００５０】
ここで、低消費電力状態制御部１０５は、非充電時間計測停止信号を入力後、再び非充電時間計測開始信号を出力する可能性がある。その場合、低消費電力状態制御部１０５は、非充電時間を計測中か否か、及び所定時間経過したか否か正しく判定できなくなるおそれがある。本実施例では、低消費電力状態制御部１０５は、非充電時間計測開始信号を出力後に非充電時間計測停止信号を入力した後で、所定時間が経過したと判断するとともに（Ｓ４１２）、非充電時間計測開始信号を出力した情報、及び非充電時間計測停止信号を入力した情報を抹消する。これにより、低消費電力状態制御部１０５が、非充電時間の停止後に、正しく非充電時間計測中でないことを判定できるようにする。
【００５１】
計時制御部１０９における非充電時間の計測が停止した後（Ｓ４１３）、低消費電力状態制御部１０５は、発振回路制御部１０８に発振動作停止信号を出力する。発振回路制御部１０８は、低消費電力状態制御部１０５から発振動作停止信号を入力されると、クロック信号の生成及び計時制御部１０７への出力を停止する（Ｓ４１４）。よって、電子機器１の動作状態が低消費電力状態２０３に遷移する（図２  Ｔ２３参照）。
【００５２】
なお、入力状態検出部１０７は時刻表示開始信号の入力があったか否か検出する（Ｓ４２３）。時刻表示開始信号の入力を検出した場合（Ｓ４２３  Ｙ）、低消費電力状態制御部１０５は、計時制御部１０９が非充電時間を計測中か否か判定する（Ｓ４２４）。計時制御部１０９が非充電時間を計測中であると判定した場合には（Ｓ４２４  Ｙ）、低消費電力状態制御部１０５は計時制御部１０９に非充電時間計測停止信号を出力する。計時制御部１０９は、低消費電力状態制御部１０５より非充電時間計測停止信号を入力し、非充電時間の計測を停止する（Ｓ４２５）。非充電時間の計測を停止した後（Ｓ４２５）、又は計時制御部１０９が非充電時間を計測中であると判定した場合には（Ｓ４２４  Ｎ）、計時制御部１０９は時刻表示を開始する（Ｓ４２６）。よって、電子機器１の動作状態が通常動作状態２０１に遷移する（図２  Ｔ２１参照）。
【００５３】
入力状態検出部１０７が時刻表示開始信号の入力を検出しない場合（Ｓ４２３  Ｎ）、計時制御部１０９及び低消費電力状態制御部１０５ともに動作状態を変更しない。よって、電子機器１の動作状態は、時刻非表示状態２０２のまま維持される（図２  Ｔ２２参照）。
【００５４】
図６は、電子機器１の制御方法における動作、具体的には低消費電力状態２０３から各動作状態２０１〜２０３への遷移（Ｔ３１，Ｔ３２，Ｔ３３）にかかる動作例を示す流れ図である。
電子機器１が低消費電力状態２０３にあるとき、充電検出部１０２が、2次電源部が充電状態にあるか否か検出する（Ｓ５１１）。充電検出部１０２が充電状態にないことを検出したとき、充電状態にない旨の情報を低消費電力状態制御部１０５に出力する（Ｓ５１１  Ｎ）。このとき、低消費電力状態制御部１０５は動作状態を変更しない。従って、電子機器１の動作状態は、低消費電力状態２０３のまま維持される（図２  Ｔ３３参照）。
【００５５】
充電検出部１０２が充電状態にあることを検出したとき、充電状態にある旨の情報を低消費電力状態制御部１０５に出力する（Ｓ５１１  Ｙ）。低消費電力状態制御部１０５は、電圧検出部１０４で検出された2次電源部１０３の電圧情報を入力し、当該電圧情報Ｖが閾値電圧Ｖｃ以下であるか判定する（Ｓ５１２）。低消費電力状態制御部１０５が、電圧情報Ｖが閾値電圧Ｖｃ以下であると判定したときは（Ｓ５１２  Ｙ）、動作状態を変更しない。従って、電子機器１の動作状態は、低消費電力状態２０３のまま維持される（図２  Ｔ３３参照）。
【００５６】
低消費電力状態制御部１０５が、電圧情報Ｖが閾値電圧Ｖｃ以下ではないと判定したときは（Ｓ５１２  Ｎ）、発振回路制御部１０８に発振動作開始信号を出力する。発振回路制御部１０６が低消費電力状態制御部１０５から発振動作開始信号を入力すると、クロック信号の生成を開始し、計時制御部１０９に出力する（Ｓ５１３）。
【００５７】
入力状態検出部１０７は、時刻表示開始信号の入力があったか否か検出する（Ｓ５１４）。入力状態検出部１０７が、時刻表示開始信号の入力を検出しなかった場合（Ｓ５１４  Ｎ）、低消費電力状態制御部１０５は特に動作状態を変更しない。計時制御部１０９は、時刻表示を行わないで動作する。よって、電子機器１の動作状態は、時刻非表示状態２０２に遷移する（図２  Ｔ３２参照）。
【００５８】
入力状態検出部１０７が、時刻表示開始信号の入力があったことを検出した場合（Ｓ５１４  Ｙ）、低消費電力状態制御部１０５は計時制御部１０９に時刻表示開始信号を出力する。計時制御部１０９が入力状態検出部１０７から時刻表示開始信号を入力されると、時刻表示を開始する（Ｓ５１５）。よって、電子機器１の動作状態は、通常動作状態２０１に遷移する（図２  Ｔ３１参照）。
【００５９】
なお、Ｓ５１４において、入力状態検出部１０７が以前に通常動作状態２０１又は時刻非表示状態２０２から低消費電力状態２０３に電子機器１の動作状態が遷移する直前の時刻表示状態情報を記憶しており、当該時刻表示状態情報を計時制御部１０９に出力する構成も考えられる。時刻表示状態情報とは、例えば、時刻表示を行っているか否かを示す情報である。計時制御部１０９が、当該時刻表示状態情報を入力した場合には、その状態に基づく時刻表示を行う。よって、低消費電力状態２０１に遷移する直前に利用者が操作した時刻表示状態で、電子機器１が動作する。
【００６０】
このように、本実施形態にかかる電子機器１は、第１のエネルギーを第２のエネルギーである電気エネルギーに変換することにより発電を行う１次電源部１０１と、発電によって得られた電気エネルギーを蓄える２次電源部１０３と、電気エネルギーを２次電源部が充電しない状態を検出する充電検出部１０２と、時刻を計時し、操作入力を検出したとき計時した時刻表示を停止する計時部１１と、操作入力を検出した状態であって充電しない状態の時間を計測し、計測した時間が予め設定された時間を越えたとき、計時部の動作を停止する低消費電力状態制御部１０５を有する。
【００６１】
このため、電子機器１は、時刻表示が停止されるための操作入力を検出したうえで、１次電源部で発電された電気エネルギーが充電されなくなってからの時間が予め設定された時間を経過してから計時部の動作が停止する。従って、電子機器１では、利用者の意に反して計時部１１の動作が停止し、時刻を参照できないという不都合を解消することができる。つまり、利用者が時刻表示を確認することができる時間を十分にとることができる。
【００６２】
また、本実施形態にかかる電子機器１は、２次電源部の供給電圧を検出する電圧検出部１０４を更に備え、充電検出部１０２は電気エネルギーを２次電源部が充電する状態を検出し、低消費電力状態制御部１０５は、２次電源部の供給電圧が機器の動作に要する電圧よりも大きい場合に計時部１１の動作を停止し、充電する状態が検出されたとき、計時部１１の動作を開始させることを特徴とする。
このため、電子機器１によれば、２次電源部１０３の供給電圧が動作に要する電圧よりも大きい場合に計時部１１の動作を停止し、充電状態が検出されたとき、計時部１１の動作を開始する。そのため、２次電源部１０３の供給電圧が機器動作に要する電圧を下回ることが避けられ、充電状態が検出されたときに即座に動作を開始することができる。
【００６３】
また、本実施形態にかかる電子機器１は、低消費電力状態制御部が１０５、計時部１１の動作を停止する前の動作状態に応じて、計時部１１の動作を開始するときの動作状態を選択することを特徴とする。
そのため、電子機器１によれば、動作が停止したときと異なるという利用者の意に反する動作状態で動作が開始するという不都合を回避することができる。
【００６４】
また、本実施形態にかかる電子機器１は、計時部１１が、計時制御部１０９と計時制御部１０９を駆動するクロック信号を生成する発振回路制御部１０８とを含んで構成され、発振回路制御部１０８におけるクロック信号の生成を停止することにより、動作を停止することを特徴とする。
そのため、発振回路制御部１０８に対してクロック信号の生成の開始又は停止を指示することで計時部１１の動作の開始又は停止を制御できる。
【００６５】
（第２の実施形態）
次に本発明の第２の実施形態について図面を参照しながら詳しく説明する。
図７は、本実施形態に係る電子機器２の構成を示す。
電子機器２は、文字盤上をモータで駆動した針を用いて計測した時刻を表示するアナログウォッチの一例である。
電子機器２は、１次電源部１０１、充電検出部１０２、２次電源部１０３、電圧検出部１０４、低消費電力状態制御部１０５、操作入力部１０６、入力状態検出部１０７、計時部２１及び時刻表示駆動部２１０を含んで構成される。計時部２１は、発振回路制御部１０８及び計時制御部２０９を含んで構成される。
従って、電子機器２は、計時制御部２０９を計時制御部１０９の代わりに備え、更に時刻表示駆動部２１０を備える点が電子機器１と異なる。
【００６６】
以下の説明では、主に電子機器１と異なる点について述べる。
図８は、本実施形態に係る計時制御部２０９及び時刻表示駆動部２１０の一例を示す。
計時制御部２０９は、基本分周回路２０９１、駆動制御回路２０９２、パルスダウンカウンタ回路２０９３、主駆動パルス発生回路２０９４、補正駆動パルス発生回路２０９５、クロノ分周回路２０９６、第２駆動パルス発生回路２０９７及びクロノカウンタ回路２０９８を含んで構成される。
時刻表示駆動部２１０は、第１駆動回路２１０１、第１駆動部２１０２、回転検出回路２１０３、第２駆動回路２１０４及び第２駆動部２１０５を含んで構成される。
【００６７】
基本分周回路２０９１は、発振回路制御部１０８から入力されたクロック信号を分周して駆動励振信号を生成する。例えば、発振回路制御部１０８から入力されたクロック信号が周波数３２，７６８（２15）Ｈｚのパルス信号である場合には、基本分周回路２０９１は、このクロック信号を１５段分周して１Ｈｚのパルス信号を駆動励振信号として生成する。基本分周回路２０９１は、生成した駆動励振信号を主駆動パルス発生回路２０９４に出力する。
【００６８】
基本分周回路２０９１は、発振回路制御部１０８から入力されたクロック信号を分周してクロノ励振信号を生成する。但し、基本分周回路２０９１がクロノ励振信号を生成するための分周の段数は、駆動励振信号を生成する場合の段数よりも低くする。例えば、発振回路制御部１０８から入力されたクロック信号が３２，７６８（２15）Ｈｚのパルス信号である場合には、基本分周回路２０９１は、このクロック信号を７段分周して２５６（２8）Ｈｚのパルス信号をクロノ励振信号として生成する。基本分周回路２０９１は、生成したクロノ励振信号をクロノ分周回路２０９６に出力する。
【００６９】
基本分周回路２０９１は、また発振回路制御部１０８から入力されたクロック信号を、駆動励振信号を生成する場合よりもより高い段数で分周してＰＣＤ（Ｐｕｌｓｅ  Ｃｏｕｎｔｄｏｗｎ  Ｓｉｇｎａｌ；パルスカウントダウン）信号を生成する。ＰＣＤ信号の周期は、主駆動励振信号の周期の整数倍（例えば４倍）である。基本分周回路２０９１は、生成したＰＣＤ信号をパルスダウンカウンタ回路２０９３に出力する。
ここで、パルスダウンとは、後述する駆動パルス信号のランク（段階）を低くすることを指し、ランクダウンともいう。他方、パルスアップとは、後述する駆動パルスのランクを高くすることを指し、ランクアップともいう。
【００７０】
駆動パルスのランクは、そのエネルギーの大きさを示す。例えば、主駆動パルスＰ１ｎのランクｎは、本実施形態では最小値１から最大値ｍ（例えば、ｍ＝２）の何れかの値である。ランクｎの値が大きい（高い）ほど、エネルギーが大きいことを示す。例えば、振幅値が一定という条件のもとでは、ランクが高いほど、駆動パルス信号を構成する各パルスのピーク値の継続時間（パルス幅）が長くなる。他方、ランクが低いほど、駆動パルス信号のパルス幅が短くなる。
パルスダウンカウントとは、パルスダウンを指示するまでの間、ＰＣＤ信号の振幅ピーク数をカウント（計数）することを指す。
【００７１】
駆動制御回路２０９２は、入力状態検出部１０７から時刻表示開始信号が入力されたとき、パルスカウント開始信号と、駆動パルス生成信号を生成する。パルスカウント開始信号とは、駆動パルス信号の振幅ピーク数のカウント開始を指示する信号である。駆動パルス生成信号とは、駆動パルス信号の生成を指示する信号である。駆動制御回路２０９２は、生成したパルスカウント開始信号をパルスダウンカウンタ回路２０９３及びクロノカウンタ回路２０９８に出力する。駆動制御回路２０９２は、生成した駆動パルス生成信号を主駆動パルス発生回路２０９４及びクロノ分周回路２０９６に出力する。
【００７２】
駆動制御回路２０９２は、入力状態検出部１０７から時刻表示停止信号が入力されたとき、パルスカウント停止信号と駆動パルス停止信号を生成する。パルスカウント停止信号とは、駆動パルス信号の振幅ピーク数のカウント停止を指示する信号である。駆動パルス停止信号とは、駆動パルス信号の生成停止を指示する信号である。駆動制御回路２０９２は、生成したパルスカウント停止信号をパルスダウンカウンタ回路２０９３及びクロノカウンタ回路２０９８に出力する。駆動制御回路２０９２は、生成した駆動パルス停止信号を主駆動パルス発生回路２０９４及びクロノ分周回路２０９６に出力する。
【００７３】
本実施形態では、入力状態検出部１０７が検出した操作入力の状態に基づいてリセット信号を駆動制御回路２０９２に出力するようにしてもよい。リセット信号は、ある時点からの経過時間を示す時間表示（クロノグラフ）を、予め定めた基準時を示す表示（例えば、ゼロ秒）に変更すること（リセット）を指示する信号である。
駆動制御回路２０９２は、入力状態検出部１０７からリセット信号を入力された場合、パルスリセット信号をクロノカウンタ回路２０９８に出力する。パルスリセット信号は、カウントした駆動パルスの振幅ピーク数を所定の基準値（例えば、ゼロ）に変更することを指示する信号である。
【００７４】
パルスダウンカウンタ回路２０９３は、第１駆動部２１０２が動作していないことを示す非回転信号を入力された場合、パルスアップ信号を主駆動パルス発生回路２０９４に出力する。パルスアップ信号とは、駆動パルスをパルスアップすることを指示する信号である。同時に、パルスダウンカウンタ回路２０９３は、カウントした値（後述）をゼロにリセットする。
パルスダウンカウンタ回路２０９３は、駆動制御回路２０９２からパルスカウント開始信号が入力された場合、基本分周回路２０９１から入力されたＰＣＤ信号の振幅ピーク数をカウント（パルスダウンカウント）する。パルスダウンカウンタ回路２０９３はカウントした値が、予め定められた時間（例えば、８０秒〜１６０秒）に対応する値に達した場合、パルスダウン信号を主駆動パルス発生回路２０９４に出力する。パルスダウン信号とは、駆動パルスをパルスダウンすることを指示する信号である。
パルスダウンカウンタ回路２０９３は、駆動制御回路２０９２からパルスカウント停止信号が入力された場合、パルスダウンカウントを停止する。
【００７５】
パルスダウンカウンタ回路２０９３は、また、低消費電力状態制御部１０５から非充電時間計測開始信号が入力された後、基本分周回路２０９１から入力されたＰＣＤ信号の振幅ピークの数をカウントする。パルスダウンカウンタ回路２０９３はカウントした値が、予め定められた所定時間（例えば、１２０秒）に対応する値に達した場合、非充電時間計測停止信号を低消費電力状態制御部１０５に出力する。この所定時間は、上述のように２次電源部１０３が充電しない状態であって発振回路制御部１０８にクロック信号の生成を停止させるまでの時間である（ステップＳ４１２参照）。
【００７６】
主駆動パルス発生回路２０９４は、駆動制御回路２０９２から駆動パルス生成信号が入力された場合、基本分周回路２０９１から入力された駆動励振信号に基づき主駆動パルス信号を生成する。主駆動パルス発生回路２０９４が生成する主駆動パルス信号の周期は、例えば１秒である。
主駆動パルス発生回路２０９４は、パルスダウンカウンタ回路２０９３からパルスアップ信号が入力された場合、生成する主駆動パルス信号のランクを、例えば１ランク高くする。本実施形態では、主駆動パルス発生回路２０９４は、主駆動パルス信号のランクを高くするために、主駆動パルス信号のパルス幅を予め設定した時間だけ長くする。
主駆動パルス発生回路２０９４は、パルスダウンカウンタ回路２０９３からパルスダウン信号が入力された場合、生成する主駆動パルス信号のランクを、例えば１ランク低くする。本実施形態では、主駆動パルス発生回路２０９４は、主駆動パルス信号のランクを低くするために、主駆動パルス信号のパルス幅を予め設定した時間だけ短くする。
主駆動パルス発生回路２０９４は、生成した主駆動パルス信号を第１駆動回路２１０１に出力する。
【００７７】
第１駆動回路２１０１は、主駆動パルス発生回路２０９４から入力された主駆動パルス信号、又は補正駆動パルス発生回路２０９５から入力された補正駆動パルス信号に基づき第１駆動部２１０２を動作させるための駆動信号を生成する。
第１駆動回路２１０１は、第１駆動部２１０２が動作することによって発生する誘起電圧信号を検出し、検出した誘起電圧信号を回転検出回路２１０３に出力する。
第１駆動部２１０２は、第１駆動回路２１０１から供給された駆動信号に基づいて動作する。第１駆動部２１０２は、例えば、時計装置２が備える軸を中心に秒針（時刻表示部）を文字盤上で回転させるモータである。駆動信号が、例えば１秒周期の駆動パルス信号に基づいて生成された信号である場合、第１駆動部２１０２は、１秒毎にその秒針を駆動する。
【００７８】
回転検出回路２１０３は、第１駆動回路２１０１から入力された誘起電圧信号が示す電圧値に基づき、第１駆動部２１０２が動作しているか否かを判断する。回転検出回路２１０３は、例えば、その電圧値が予め設定された電圧値よりも小さい場合、第１駆動部２１０２の動作していないと判断し、非回転信号を生成する。回転検出回路２１０３は、生成した非回転信号をパルスダウンカウンタ回路２０９３及び補正駆動パルス発生回路２０９５に出力する。
【００７９】
補正駆動パルス発生回路２０９５は、回転検出回路２１０３から非回転信号を入力された場合、補正駆動パルス信号を生成する。補正駆動パルス発生回路２０９５が生成する補正駆動パルス信号のエネルギー量は、第１駆動部２１０２を動作させるために十分な量である。従って、補正駆動パルス発生回路２０９５は、少なくとも主駆動パルス発生回路２０９４が生成する主駆動パルス信号よりもパルス幅が広い補正駆動パルス信号を生成する。補正駆動パルス発生回路２０９５は、生成した補正駆動パルス信号を第１駆動回路２１０１に出力する。
【００８０】
クロノカウンタ分周回路２０９６は、駆動制御回路２０９２から駆動パルス生成信号を入力された場合、基本分周回路２０９１から入力されたクロノ励振信号を分周して第２駆動パルス生成信号を生成する。生成された第２駆動パルス生成信号の周波数は、例えば１０Ｈｚである。これにより、電子機器２は、０．１秒の精度で時間を計測する。
クロノカウンタ分周回路２０９６は、生成した第２駆動パルス生成信号を第２駆動パルス発生回路２０９７及びクロノカウンタ回路２０９８に出力する。
クロノカウンタ分周回路２０９６は、駆動制御回路２０９２又はクロノカウンタ回路２０９８から駆動パルス停止信号を入力された場合、第２駆動パルス信号の生成を停止する。
【００８１】
第２駆動パルス発生回路２０９７は、クロノ分周回路２０９６から入力された第２駆動パルス生成信号に基づき第２駆動パルス信号を生成する。
第２駆動パルス発生回路２０９７は、生成した第２駆動パルス信号を第２駆動回路２１０４に出力する。
【００８２】
第２駆動回路２１０４は、第２駆動パルス発生回路２０９７から入力された第２駆動パルス信号に基づき、第２駆動部２１０４を動作させるための第２駆動信号を生成する。
第２駆動部２１０５は、第２駆動回路２１０４から供給された第２駆動信号に基づいて動作する。第２駆動部２１０２は、例えば、第１駆動部２１０２が備える秒針とは異なる軸を中心に表示針（時刻表示部）を文字盤上で回転させるモータである。駆動信号が、例えば０．１秒周期の第２駆動パルス信号に基づく信号である場合、第２駆動部２１０５は、０．１秒毎にその表示針を駆動する。
【００８３】
クロノカウンタ回路２０９８は、駆動制御回路２０９２からパルスカウント開始信号を入力された場合、クロノ分周回路２０９６から入力された第２駆動パルス生成信号の振幅ピーク数（クロノピーク数と呼ぶ）のカウントを開始する。
クロノカウンタ回路２０９８は、クロノピーク数が予め設定された時間（例えば、６０分）に対応するピーク数に達した場合、クロノピーク数のカウントを停止する。
クロノカウンタ回路２０９８は、駆動制御回路２０９２からパルスカウント停止信号を入力された場合、クロノピーク数のカウントを停止する。
クロノカウンタ回路２０９８は、駆動制御回路２０９２からパルスリセット信号を入力された場合、クロノピーク数のカウントを停止し、カウントしたクロノピーク数を所定の基準値（例えば、ゼロ）に変更する。
クロノカウンタ回路２０９８は、クロノピーク数のカウントを停止した場合、駆動パルス停止信号を生成し、生成した駆動パルス停止信号をクロノ分周回路２０９６に出力する。
【００８４】
クロノカウンタ回路２０９８は、また、低消費電力状態制御部１０５から非充電時間計測開始信号を入力された後、クロノ分周回路２０９６から入力された第２駆動パルス生成信号の振幅ピーク数（即ち、クロノピーク数）についてカウントを開始する。クロノカウンタ回路２０９８はカウントした値が、予め設定された所定時間（例えば、１２０秒）に対応する値に達した場合、非充電時間計測停止信号を低消費電力状態制御部１０５に出力する。この所定時間は、上述のように２次電源部１０３が充電しない状態であって発振回路制御部１０８にクロック信号の生成を停止させるまでの時間である（ステップＳ４１２参照）。
【００８５】
上述の説明では、非充電時間計測開始信号を入力された後、所定時間経過したことを判断する処理を、パルスカウンタ回路２０９３及びクロノカウンタ回路２０９８が行う例を挙げたが、本実施形態ではこれには限られない。本実施形態では、かかる処理をパルスカウンタ回路２０９３又はクロノカウンタ回路２０９８のうちいずれか一方が行ってもよい。
本実施形態では、パルスカウンタ回路２０９３は、クロノカウンタ回路２０９８よりも低い電力負荷でも動作するため、消費電力が小さい。そのため、電池の寿命を重視する場合には、本実施形態では、例えば、もっぱらパルスカウンタ回路２０９３が、上述の所定時間経過したことを判断する処理を行うようにしてもよい。
クロノカウンタ回路２０９８は、パルスカウンタ回路２０９３よりも計測可能な時間の範囲が広く、計測精度が高い。そのため、範囲や精度を重視する場合には、本実施形態では、例えば、もっぱらクロノカウンタ回路２０９８に、上述の所定時間経過したことを判断する処理を行うようにしてもよい。
【００８６】
また、本実施形態では、上述の所定時間がパルスカウンタ回路２０９３が計測可能な時間（例えば、３分）よりも小さい場合にはパルスカウンタ回路２０９３が、その計測可能な時間よりも大きい場合にはクロノカウンタ回路２０９８が、上述の所定時間経過したことを判断する処理を行うようにしてもよい。
また、クロノグラフ（本実施形態におけるクロノ分周回路２０９６、第２駆動パルス発生回路２０９７、クロノカウンタ回路２０９８、第２駆動回路２１０４及び第２駆動部２１０５）を備えていない時計装置２においては、例えば、もっぱらパルスカウンタ回路２０９３に、上述の所定時間経過したことを判断する処理を行うようにしてもよい。
【００８７】
このように、本実施形態は、計時制御部がクロック信号に基づいて生成した駆動信号であって、時刻表示部を駆動する駆動信号に基づいて、２次電源部が充電しない状態である非充電時間を計測することを特徴とする電子機器である。
即ち、計時制御部は、クロック信号に基づいて生成した駆動信号のエネルギー量を低下させるまでの時間を計測するパルスダウンカウンタ部を備え、パルスダウンカウンタ部は、その充電しない状態の時間を計測する。
あるいは、計時制御部は、操作入力を検出した時点からの経過時間を計測するクロノカウンタ部を備え、クロノカウンタ部は、その非充電時間を計測する。
これにより、本実施形態は、上述の所定時間経過したことを判断する処理を計測するために既存のハードウェア（例えば、メモリ）を共用することができ、時計装置２を小型化することができる。
【００８８】
また、上述した実施形態にかかる電子機器は、さらに第１のエネルギーが光エネルギーであることを特徴とする。そのため、周囲から照射された光をエネルギー源とすることができ、電源の交換なしに電子機器１の動作を確保できる。
また、上述した実施形態にかかる電子機器は、操作入力は竜頭の位置に応じた電圧であることを特徴とする。これによれば、操作入力は竜頭の位置に応じた電圧であるため、竜頭の位置に応じ計時部１１の動作を制御することができる。これにより、出荷時等の使用状態により竜頭の位置を操作することにより計時部１１の動作を制御することで、利用者の意に応じた動作状態で動作させることができるという利便性が向上する。
【００８９】
なお、上述した実施形態における電子機器の一部、例えば、低消費電力状態制御部１０５、計時部１１をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、電子機器に内蔵されたコンピュータシステムであって、ＯＳや周辺機器等のハードウェアを含むものとする。
【００９０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における電子機器の一部、例えば、低消費電力状態制御部１０５、計時部１１を、ＬＳＩ（Ｌａｒｇｅ  Ｓｃａｌｅ  Ｉｎｔｅｇｒａｔｉｏｎ）等の集積回路として実現しても良い。電子機器の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００９１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００９２】
１０１  １次電源部、１０２  充電検出部、１０３  ２次電源部、１０４  電圧検出部、
１０５  低消費電力状態制御部、１０６  操作入力部、１０７  入力状態検出部、
１０８  発振回路制御部、  １０９  計時制御部、１１  計時部
２０９…計時制御部、  ２０９１…基本分周回路、２０９２…駆動制御回路、
２０９３…パルスダウンカウンタ回路、２０９４…主駆動パルス発生回路、
２０９５…補正駆動パルス発生回路、２０９６…クロノ分周回路、
２０９７…第２駆動パルス発生回路、２０９８…クロノカウンタ回路、
２１０…時刻表示駆動部、２１０１…第１駆動回路、２１０２…第１駆動部、
２１０３…回転検出回路、２１０４…第２駆動回路、２１０５…第２駆動部
【図１】
2012073224.tif 000003
【図２】
2012073224.tif 000004
【図３】
2012073224.tif 000005
【図４】
2012073224.tif 000006
【図５】
2012073224.tif 000007
【図６】
2012073224.tif 000008
【図７】
2012073224.tif 000009
【図８】
2012073224.tif 000010